(57)【要約】【課題】録り溜めた一定期間分の全番組の中から所望の視聴したい番組を発見して選択するための操作性の向上を図る。【解決手段】再生制御部１１０は、記録媒体部１１１に記録された放送番組を再生中に、チャンネルアップダウンキーを介してチャンネルの切り替えの指示を受け付けた場合、この切り替え指示を受けたチャンネルについての再生開始位置を、再生中の放送番組のデジタル放送信号にかかるメタデータの時刻情報に対応する記録位置にし、スキップキーを介して番組スキップの指示を受け付けた場合、この切り替え指示を受けたチャンネルについての再生開始位置を、再生中の放送番組のデジタル放送信号にかかるメタデータの番組情報に基づき番組スキップ後の放送番組のデジタル放送信号にかかるメタデータの番組情報から求められる番組の先頭に対応する記録位置にする。【選択図】図１
2010119140.tif 000002
【特許請求の範囲】
【請求項１】
複数チャンネルの放送番組のデジタル放送信号である複数のＴＳ（Transport  Stream）を各々受信する複数の受信部と、
前記各受信部で受信した各チャンネルの前記放送番組のデジタル放送信号の記録媒体部に対する記録制御、及び当該記録媒体部の記録位置と時刻情報と前記ＴＳのＥＩＴ（Event  Information  Table）から取得した番組情報とを関連付けたメタデータを前記チャンネル毎に作成して前記記録媒体部に記録する記録制御を実行する記録制御部と、
チャンネルのアップまたはダウンの指示を受け付けるチャンネルアップダウンキーと同一チャンネル中の次番組または前番組への番組スキップの指示を受け付けるスキップキーとを有して、ユーザからの指示入力を受け付ける入力処理部と、
前記記録媒体部に記録された前記放送番組のデジタル放送信号または前記各受信部で受信した各チャンネルの前記放送番組のデジタル放送信号についての再生制御を実行する再生制御部と、
前記再生制御部により再生制御された前記放送番組のデジタル放送信号を表示部に出力する表示処理部と、
を備え、
前記再生制御部は、前記記録媒体部に記録された前記放送番組を再生中に、前記入力処理部の前記チャンネルアップダウンキーを介してチャンネルの切り替えの指示を受け付けた場合、この切り替え指示を受けたチャンネルについての前記放送番組のデジタル放送信号の前記記録媒体部の再生開始位置を、前記再生中の放送番組のデジタル放送信号にかかる前記メタデータの時刻情報に対応する前記記録位置にし、前記スキップキーを介して番組スキップの指示を受け付けた場合、この切り替え指示を受けたチャンネルについての前記放送番組のデジタル放送信号の前記記録媒体部の再生開始位置を、前記再生中の放送番組のデジタル放送信号にかかる前記メタデータの番組情報に基づき番組スキップ後の前記放送番組のデジタル放送信号にかかる前記メタデータの番組情報から求められる番組の先頭に対応する前記記録位置にして、前記記録媒体部から読み出す、
ことを特徴とする番組録画制御装置。
【請求項２】
前記各受信部で受信した各チャンネルの前記放送番組の信号を１つの信号に再多重化する再多重部を更に備え、
前記再生制御部は、再多重された信号をチャンネルごとの前記放送番組の信号に戻してから再生制御を実行する、
ことを特徴とする請求項１記載の番組録画制御装置。
【請求項３】
前記表示処理部から出力された前記放送番組の信号を表示する表示部を更に備える、
ことを特徴とする請求項１または２記載の番組録画制御装置。
【請求項４】
番組録画制御装置で実行される番組録画制御方法であって、前記番組録画制御装置は、制御部と記憶部を備え、前記制御部において実行される、
記録制御部が、複数チャンネルの放送番組のデジタル放送信号である複数のＴＳ（Transport  Stream）を各々受信する複数の受信部で受信した各チャンネルの前記放送番組のデジタル放送信号の記録媒体部に対する記録制御、及び当該記録媒体部の物理的な領域における記録位置と時刻情報と前記ＴＳのＥＩＴ（Event  Information  Table）から取得した番組情報とを関連付けたメタデータを前記チャンネル毎に作成して前記記録媒体部に記録する記録制御を実行するステップと、
再生制御部が、前記記録媒体部に記録された前記放送番組のデジタル放送信号または前記各受信部で受信した各チャンネルの前記放送番組のデジタル放送信号についての再生制御を、チャンネルのアップまたはダウンの指示を受け付けるチャンネルアップダウンキーと同一チャンネル中の次番組または前番組への番組スキップの指示を受け付けるスキップキーとを介して受け付けたユーザ入力にしたがって実行するステップと、
表示処理部が、前記再生制御部により再生制御された前記放送番組のデジタル放送信号を表示部に出力するステップと、
を含み、
前記再生制御部は、前記記録媒体部に記録された前記放送番組を再生中に、前記チャンネルアップダウンキーを介してチャンネルの切り替えの指示を受け付けた場合、この切り替え指示を受けたチャンネルについての前記放送番組のデジタル放送信号の前記記録媒体部の再生開始位置を、前記再生中の放送番組のデジタル放送信号にかかる前記メタデータの時刻情報に対応する前記記録位置にし、前記スキップキーを介して番組スキップの指示を受け付けた場合、この切り替え指示を受けたチャンネルについての前記放送番組のデジタル放送信号の前記記録媒体部の物理的な領域における記録位置である再生開始位置を、前記再生中の放送番組のデジタル放送信号にかかる前記メタデータの番組情報に基づき番組スキップ後の前記放送番組のデジタル放送信号にかかる前記メタデータの番組情報から求められる番組の先頭に対応する前記記録位置にして、前記記録媒体部から読み出す、
ことを特徴とする番組録画制御方法。
【発明の詳細な説明】
【技術分野】
【０００１】
本発明は、地上デジタル放送及び衛星デジタル放送等の録画を制御する番組録画制御装置および番組録画制御方法に関する。
【背景技術】
【０００２】
既に、ＤＶＤ又はＨＤＤ等に対して番組を録画する録画装置が普及しており、さらに、録画予約時に、記録メディアの残りの容量を計算し、ユーザに予約録画可能かどうかを伝える技術なども提案されている（特許文献１参照）。
【０００３】
また、複数のチューナを搭載し、複数番組を同時に録画することが可能な録画装置も登場している。例えば、複数番組の同時録画において、ＥＰＧ（電子番組ガイド）を基に各番組のビットレートから求めた総合ビットレートがメモリ処理を超えないように録画番組数を決定する技術が提案されている（特許文献２参照）。
【先行技術文献】
【特許文献】
【０００４】
【特許文献１】再公表特許２００２／０２８１００
【特許文献２】特開２０００−２１７０６３号公報
【発明の概要】
【発明が解決しようとする課題】
【０００５】
近年、録画装置に搭載されるＨＤＤの容量は飛躍的に増え、これに伴い、自動録画に対する感心が高まっている。つまり、ユーザが録画したい番組を一つ一つ録画設定するのではなく、録画装置が一定の条件に基づき所定チャンネルを自動録画する技術である。例えば、受信可能な全てのチャンネルについての一週間分の全ての番組をＨＤＤに録り溜めるような技術である。
【０００６】
しかしながら、受信可能な全てのチャンネルについての一週間分の全ての番組をＨＤＤに録り溜めるような場合においては、ユーザが番組を選択して記録したわけではないので、ユーザにとって録り溜めた一週間分の全番組の中から所望の視聴したい番組を見つけて選択することが容易ではない、という問題がある。
【０００７】
本発明は、上記に鑑みてなされたものであって、録り溜めた一定期間分の全番組の中から所望の視聴したい番組を発見して選択するための操作性の向上を図ることができる番組録画制御装置および番組録画制御方法を提供することを目的とする。
【課題を解決するための手段】
【０００８】
上述した課題を解決し、目的を達成するために、本発明の番組録画制御装置は、複数チャンネルの放送番組のデジタル放送信号である複数のＴＳ（Transport  Stream）を各々受信する複数の受信部と、前記各受信部で受信した各チャンネルの前記放送番組のデジタル放送信号の記録媒体部に対する記録制御、及び当該記録媒体部の記録位置と時刻情報と前記ＴＳのＥＩＴ（Event  Information  Table）から取得した番組情報とを関連付けたメタデータを前記チャンネル毎に作成して前記記録媒体部に記録する記録制御を実行する記録制御部と、チャンネルのアップまたはダウンの指示を受け付けるチャンネルアップダウンキーと同一チャンネル中の次番組または前番組への番組スキップの指示を受け付けるスキップキーとを有して、ユーザからの指示入力を受け付ける入力処理部と、前記記録媒体部に記録された前記放送番組のデジタル放送信号または前記各受信部で受信した各チャンネルの前記放送番組のデジタル放送信号についての再生制御を実行する再生制御部と、前記再生制御部により再生制御された前記放送番組のデジタル放送信号を表示部に出力する表示処理部と、を備え、前記再生制御部は、前記記録媒体部に記録された前記放送番組を再生中に、前記入力処理部の前記チャンネルアップダウンキーを介してチャンネルの切り替えの指示を受け付けた場合、この切り替え指示を受けたチャンネルについての前記放送番組のデジタル放送信号の前記記録媒体部の再生開始位置を、前記再生中の放送番組のデジタル放送信号にかかる前記メタデータの時刻情報に対応する前記記録位置にし、前記スキップキーを介して番組スキップの指示を受け付けた場合、この切り替え指示を受けたチャンネルについての前記放送番組のデジタル放送信号の前記記録媒体部の再生開始位置を、前記再生中の放送番組のデジタル放送信号にかかる前記メタデータの番組情報に基づき番組スキップ後の前記放送番組のデジタル放送信号にかかる前記メタデータの番組情報から求められる番組の先頭に対応する前記記録位置にして、前記記録媒体部から読み出す。
【０００９】
また、本発明の番組録画制御方法は、番組録画制御装置で実行される番組録画制御方法であって、前記番組録画制御装置は、制御部と記憶部を備え、前記制御部において実行される、記録制御部が、複数チャンネルの放送番組のデジタル放送信号である複数のＴＳ（Transport  Stream）を各々受信する複数の受信部で受信した各チャンネルの前記放送番組のデジタル放送信号の記録媒体部に対する記録制御、及び当該記録媒体部の物理的な領域における記録位置と時刻情報と前記ＴＳのＥＩＴ（Event  Information  Table）から取得した番組情報とを関連付けたメタデータを前記チャンネル毎に作成して前記記録媒体部に記録する記録制御を実行するステップと、再生制御部が、前記記録媒体部に記録された前記放送番組のデジタル放送信号または前記各受信部で受信した各チャンネルの前記放送番組のデジタル放送信号についての再生制御を、チャンネルのアップまたはダウンの指示を受け付けるチャンネルアップダウンキーと同一チャンネル中の次番組または前番組への番組スキップの指示を受け付けるスキップキーとを介して受け付けたユーザ入力にしたがって実行するステップと、表示処理部が、前記再生制御部により再生制御された前記放送番組のデジタル放送信号を表示部に出力するステップと、を含み、前記再生制御部は、前記記録媒体部に記録された前記放送番組を再生中に、前記チャンネルアップダウンキーを介してチャンネルの切り替えの指示を受け付けた場合、この切り替え指示を受けたチャンネルについての前記放送番組のデジタル放送信号の前記記録媒体部の再生開始位置を、前記再生中の放送番組のデジタル放送信号にかかる前記メタデータの時刻情報に対応する前記記録位置にし、前記スキップキーを介して番組スキップの指示を受け付けた場合、この切り替え指示を受けたチャンネルについての前記放送番組のデジタル放送信号の前記記録媒体部の物理的な領域における記録位置である再生開始位置を、前記再生中の放送番組のデジタル放送信号にかかる前記メタデータの番組情報に基づき番組スキップ後の前記放送番組のデジタル放送信号にかかる前記メタデータの番組情報から求められる番組の先頭に対応する前記記録位置にして、前記記録媒体部から読み出す。
【発明の効果】
【００１０】
本発明によれば、通常視聴と同様にチャンネルザッピング感覚での番組検索が可能であり、さらに番組スキップ機能も付加されるので、録り溜めた一定期間分の全番組の中から所望の視聴したい番組を発見して選択するための操作性の向上を図ることができる、という効果を奏する。
【図面の簡単な説明】
【００１１】
【図１】図１は、本発明の実施の一形態にかかるデジタルレコーダの構成を示すブロック図である。
【図２】図２は、再多重の方式を示す模式図である。
【図３】図３は、番組データベース部のデータ構成を示す模式図である。
【図４】図４は、メタデータのデータ構成を示す模式図である。
【図５】図５は、リモートコントローラを示す正面図である。
【図６】図６は、番組表の表示例を示す正面図である。
【図７】図７は、番組表示処理の流れを示すフローチャートである。
【図８】図８は、再生中処理の流れを示すフローチャートである。
【図９】図９は、特殊再生処理の流れを示すフローチャートである。
【図１０】図１０は、チャンネルザッピング機能および番組スキップ機能の画面遷移例を示す模式図である。
【図１１】図１１は、デジタルレコーダの構成の変形例を示すブロック図である。
【発明を実施するための形態】
【００１２】
以下に添付図面を参照して、この発明にかかる番組録画制御装置および番組録画制御方法の最良な実施の形態を詳細に説明する。
【００１３】
本発明の実施の一形態を図１ないし図１１に基づいて説明する。本実施の形態は番組録画制御装置としてデジタルレコーダを適用した例である。
【００１４】
図１は、本発明の実施の一形態にかかるデジタルレコーダ１０１の構成を示すブロック図である。本実施の形態のデジタルレコーダ１０１においては、スクランブルされたデジタル放送信号を受信する受信部であるチューナモジュールを４台有している場合（２台は地上デジタル放送受信用のチューナ１０２、１１２、他の２台はＢＳ／ＣＳデジタル放送受信用のチューナ１２２、１３２など）を例にとって説明する。
【００１５】
第１のチューナ１０２、第２のチューナ１１２、第３のチューナ１２２、第４のチューナ１３２で受信された放送番組の信号は、再多重部として機能するＴＳ再多重部１４１に入力され、複数のチャンネル（ＣＨ）のＴＳ（Ｔｒａｎｓｐｏｒｔ  Ｓｔｒｅａｍ）が１つのＴＳに再多重される。この再多重の方式としては、図２に示すように、４ＣＨの入力の場合は５倍の速度で多重しなおし、さらにＦｌａｇとして例えばパケットごとのタイムスタンプ情報を付加するなどの方式がある。ＴＳ再多重部１４１で再多重化された信号はＴＳ分離部１０３に送られる。
【００１６】
ＴＳ分離部１０３は、分離部として機能するものであって、放送番組の信号から暗号化情報であるＥＣＭ（Entitlement  Control  Message）と、番組名、出演者、開始時刻などのイベント情報を記述したテーブルであるＥＩＴ（Event  Information  Table）とを分離する。
【００１７】
ＴＳ分離部１０３で分離されたＥＣＭは、ＣＡＳ制御部１０７に転送される。ＣＡＳ制御部１０７は、カードスロット（カードインターフェースＩ／Ｆ）１０７ａに装着されたＣＡＳモジュール（ＩＣカードの形態を持つＣＡＳカード：以下、適宜ＣＡＳカードと呼称する）１０８に記憶されている放送事業者毎に設定されるワーク鍵（Ｋｗ）を用いてＥＣＭの暗号を復号し、ＥＣＭ内のその番組に関する属性情報とＣＡＳカード１０８に記憶されている契約情報と比較して、視聴可否の判定を行う。ＣＡＳ制御部１０７は、視聴可の場合にはスクランブル鍵（Ｋｓ）を復号してデスクランブラ部１０４に出力する。なお、暗号鍵ＫｓとＫｗは放送事業者毎に異なるが、全受信機で共通な鍵である。
【００１８】
一方、ＴＳ分離部１０３で分離されたＥＩＴは、番組データベース部１１３に入力される。番組データベース部１１３は、ＥＩＴを用いて番組表を作成するためのデータベース化を実行する。図３は、番組データベース部１１３のデータ構成を示す模式図である。図３に示すように、チャンネル、日、開始時刻、終了時刻、タイトル、記録状況、ダビングの有無などの情報が番組毎にテーブル化されている。
【００１９】
デスクランブラ部１０４は、ＣＡＳ制御部１０７から応答されたスクランブル鍵Ｋｓを設定し、デスクランブルしたＴＳを記録再生制御部１１０に入力する。
【００２０】
記録再生制御部１１０では、再多重されたＴＳをチャンネルごとのＴＳに戻し、ＨＤＤ等の記録媒体部１１１に記録する制御を行うとともに、記録媒体部１１１に記録された放送番組の信号であるＴＳを再生する制御を実行してＡＶデコード部１０５へ出力する。すなわち、記録再生制御部１１０は、記録制御部および再生制御部として機能するものである。
【００２１】
ここで、記録再生制御部１１０は、記録媒体部１１１に対する放送番組の信号（ＣＨごとのＴＳに戻したストリーム）の記録を行う際に、図４に示すような記録媒体部１１１の物理的な領域における記録位置（物理アドレス）と時刻情報と番組情報とを関連付けたメタデータをチャンネルごとに作成し、記録媒体部１１１に記録する。図４に示す例では、５秒毎に記録位置（物理アドレス）を記録している。なお、番組情報は、ＥＩＴから取得可能である。
【００２２】
記録媒体部１１１は、ＨＤＤ、ディスクドライブ、ＳＤ（登録商標）カードリーダライタであり、記録再生制御部１１０からの放送番組の信号であるＴＳを記録する。記録媒体部１１１は、デジタルレコーダ１０１に内蔵されたものである必要はなく、ＵＳＢやＬＡＮ等で接続されたＨＤＤ等の記録媒体でもよい。
【００２３】
ＡＶデコード部１０５は、各チューナ１０２，１１２，１２２，１３２で受信した各チャンネルの放送番組の信号（ＣＨごとのＴＳに戻したストリーム）または記録再生制御部１１０により再生された放送番組の信号（ＣＨごとのＴＳに戻したストリーム）をＡＶ情報（映像および音声）へデコードする。
【００２４】
ＡＶ情報のデコード出力（ＡＶ出力）は、表示処理部１０６を介して、外部モニタである表示部２００に出力される。また、表示処理部１０６は、ＯＳＤ（On  Screen  Display）等によりユーザへの情報を提示するための、ＧＵＩ（Graphical  User  Interface）機能を持っている。このＧＵＩ機能により、後述する番組表などが表示部２００に表示される。
【００２５】
番組表処理部１１５は、記録媒体部１１１に記録した番組のＥＩＴおよび今後放送される番組のＥＩＴを番組データベース部１１３から受け取ることにより、番組表の作成処理を実行する。
【００２６】
入力処理部１１４は、ユーザからの各種入力を受け付ける。例えば、入力処理部１１４は、ユーザからの自動録画の設定、番組表上における再生番組の指定などの入力を受け付ける。入力処理部１１４は、デジタルレコーダ１０１に取り付けられた固定の操作パネル（図示せず）に相当するものからユーザ入力を受け付けるものであってもよいし、またデジタルレコーダ１０１から分離したリモートコントローラ３００からユーザ入力を受け付けるものであってもよい。
【００２７】
図５は、リモートコントローラ３００を示す正面図である。図５に示すように、リモートコントローラ３００には、チャンネルの選択を受け付けるチャンネル選択キー３０１、上下左右への移動指示を受け付けるカーソルキー３０２、決定指示を受け付ける決定キー３０３、チャンネルのＵＰまたはＤＯＷＮの指示を受け付けるチャンネルＵＰ／ＤＯＷＮキー３０４、特殊再生の指示を受け付ける特殊再生キー（早送りキー、巻き戻しキー、次番組ステップキー、前番組ステップキーなど）３０５などが配列されている。
【００２８】
ここで、図６は番組表の表示例を示す正面図である。所定の時間を含む時間単位で録画番組を表示させる場合、例えば、図６に示すように、時間軸を画面の上下方向に設定し、時間軸方向に放送時間欄ＴＭを配置し、時間軸と略直交する方向にチャンネル欄ＣＮを設定して、対応する放送時間の対応するチャンネルの欄に録画された番組情報である番組表を表示させる。加えて、画面の上下方向の中心、すなわち番組表の中心には、現在時刻を示すバーＢが位置している。このような現在時刻を示すバーＢの表示や色分け等で過去の番組と未来の番組とを識別することが可能になっている。このような所定の時間を含む時間単位の番組表は、例えば、放送される番組を全て録画するように録画設定された期間の録画番組を表示させる場合に特に有効である。
【００２９】
このとき、ユーザは、例えば、リモートコントローラ３００のカーソルキー３０２を操作して、図６に示すような選択枠ＳＬの位置を移動させることによって表示画面をスクロールさせて、記録された番組を検索することができる。
【００３０】
なお、ユーザが選択枠ＳＬを移動させたときに、番組一覧表示画面は選択枠ＳＬが画面の中央部分に表示されるようにスクロールされても良く、選択枠ＳＬを画面内で移動させるようにしても良い。
【００３１】
また、ユーザは、例えば、選択枠ＳＬを所望の番組情報の欄に合わせて、リモートコントローラ３００の決定キー３０３を押圧して操作することによって、記録された番組または記録したい番組のさらに詳細な情報を表示させることができる。さらに、ユーザは、表示された番組情報から、記録媒体部１１１に記録された番組を選択的に削除させるように操作可能である。
【００３２】
次に、デジタルレコーダ１０１における番組表を利用した番組表示処理について図７ないし図１０を参照して説明する。
【００３３】
［現在時刻で表示されている番組を選択した場合］
図７に示すように、現在時刻で放送されている番組がリモートコントローラ３００の決定キー３０３の操作によって選択された場合には（ステップＳ１のＹｅｓ）、事前に設定されている動作設定で「番組の先頭から視聴」が選択されていなければ通常視聴となる（ステップＳ２のＹｅｓ、ステップＳ３）。デジタルレコーダ１０１は、通常視聴時には、ＣＨごとのＴＳに戻したストリームをＡＶデコード部１０５に入力させることにより、その時刻での番組の映像を表示部２００に表示する。
【００３４】
［過去の番組を選択した場合］
一方、現在時刻よりも前の番組がリモートコントローラ３００の決定キー３０３の操作によって選択された場合には（ステップＳ１のＮｏ）、再生中処理になり記録媒体部１１１に記録されている番組を再生するモードになる（ステップＳ４）。
【００３５】
図８に示すように、再生中処理においては、番組表で選択された番組のＣＨおよび開始時刻に対応するメタデータを記録再生制御部１１０が記録媒体部１１１から検索し、検索したメタデータに基づいてチャンネルの再生開始位置を算出し（ステップＳ１１）、算出した再生開始位置のデータ（ＴＳ）を記録媒体部１１１から読み出し（ステップＳ１２）、読み出したＴＳをＡＶデコード部１０５に入力させて番組表で選択された番組の映像を表示部２００に表示させて再生する（ステップＳ１３）。
【００３６】
このように録画した番組を再生している状態で、リモートコントローラ３００のチャンネルＵＰキー／ＤＯＷＮキー（通常視聴におけるチャンネルアップダウンに割り当てられたキー）３０４の操作によってチャンネル切り替えの指示があった場合であって（ステップＳ１４のＹｅｓ）、リモートコントローラ３００のチャンネルＵＰキー３０４によりチャンネル切り替えの指示があった場合は（ステップＳ１５のＹｅｓ）、図４に示すような再生中の放送番組の信号にかかるメタデータの時刻情報に基づいて前のチャンネルの再生開始位置を算出して（ステップＳ１６）、ステップＳ１２に戻り、再生するストリームを切りかえる。すなわち、算出した再生開始位置と同じ時刻の切り替え指示を受け付けたチャンネルの再生開始位置に基づくデータ（ＴＳ）を記録媒体部１１１から読み出し（ステップＳ１２）、読み出したＴＳをＡＶデコード部１０５に入力させて番組表で選択された番組の映像を表示部２００に表示させて再生する（ステップＳ１３）。
【００３７】
一方、リモートコントローラ３００のチャンネルＤＯＷＮキー３０４によりチャンネル切り替えの指示があった場合は（ステップＳ１５のＮｏ、ステップＳ１７のＹｅｓ）、図４に示すような再生中の放送番組の信号にかかるメタデータの時刻情報に基づいて次のチャンネルの再生開始位置を算出して（ステップＳ１８）、ステップＳ１２に戻り、再生するストリームを切りかえる。すなわち、算出した再生開始位置と同じ時刻の切り替え指示を受け付けたチャンネルの再生開始位置に基づくデータ（ＴＳ）を記録媒体部１１１から読み出し（ステップＳ１２）、読み出したＴＳをＡＶデコード部１０５に入力させて番組表で選択された番組の映像を表示部２００に表示させて再生する（ステップＳ１３）。
【００３８】
これにより、既に記録している番組についても通常視聴のチャンネル選択と同様にチャンネルザッピング感覚での番組検索を行うことができるので、録り溜めた一定期間分の全番組の中から所望の視聴したい番組を発見して選択するための操作性の向上を図ることができる。
【００３９】
なお、チャンネル切り替え時に再生を開始する位置は、切り替え前と同じ時刻である必要はなく、例えば同様にメタデータの時刻情報から番組の先頭位置から開始することも可能であるので、どのように動作するかをユーザの設定で可能にすることもできる。
【００４０】
すなわち、番組開始位置の算出は、現在再生中のチャンネルの番組を記録した時間と同じ時間に対応する位置と、チャンネル切り替え後の番組の先頭位置と、番組先頭から所定時間経過した任意のオフセット位置とのいずれかを再生開始位置として算出する場合がある。
【００４１】
また、リモートコントローラ３００の特殊再生キー３０５の操作によって特殊再生指示があった場合には（ステップＳ１４のＮｏ、ステップＳ１９のＹｅｓ）、特殊再生処理を実行する（ステップＳ２０）。
【００４２】
図９に示すように、特殊再生処理においては、リモートコントローラ３００の特殊再生キー３０５の早送りキーにより早送りの指示があった場合は（ステップＳ３１のＹｅｓ）、番組を早送り再生する（ステップＳ３５）。また、リモートコントローラ３００の特殊再生キー３０５の巻き戻しキーにより巻き戻しの指示があった場合は（ステップＳ３２のＹｅｓ）、番組を巻き戻し再生する（ステップＳ３６）。
【００４３】
さらに、リモートコントローラ３００の特殊再生キー３０５の次番組スキップキーにより同一チャンネル中の次番組スキップの指示があった場合は（ステップＳ３３のＹｅｓ）、再生中の放送番組の信号にかかるメタデータの番組情報に基づき、切り替え指示を受け付けた次番組の再生開始位置となる記録位置をメタデータから算出して（ステップＳ３７）、算出した再生開始位置のデータ（ＴＳ）を記録媒体部１１１から読み出し（ステップＳ３８）、読み出したＴＳをＡＶデコード部１０５に入力させて番組表で選択された番組の映像を表示部２００に表示させて再生する（ステップＳ３９）。
【００４４】
また、リモートコントローラ３００の特殊再生キー３０５の前番組スキップキーにより同一チャンネル中の前番組スキップの指示があった場合は（ステップＳ３４のＹｅｓ）、再生中の放送番組の信号にかかるメタデータの番組情報に基づき、切り替え指示を受け付けた前番組の再生開始位置となる記録位置をメタデータから算出して（ステップＳ４０）、算出した再生開始位置のデータ（ＴＳ）を記録媒体部１１１から読み出し（ステップＳ３８）、読み出したＴＳをＡＶデコード部１０５に入力させて番組表で選択された番組の映像を表示部２００に表示させて再生する（ステップＳ３９）。
【００４５】
これにより、番組スキップ機能を付加することができるので、録り溜めた一定期間分の全番組の中から所望の視聴したい番組を発見して選択するための操作性の向上を更に図ることができる。
【００４６】
また、現在放送されている番組を視聴中に、前番組選択や巻き戻し、スキップ等で現在時刻を越えた場合には、前番組の再生開始位置となる記録位置をメタデータから算出して、その位置から記録された番組の再生に切り替えることができる。
【００４７】
ここで、上述したようなチャンネルザッピング機能および番組スキップ機能の画面遷移例を図１０に模式的に示す。図１０に示す例では、現在時刻よりも前の録画番組１−２の再生中に、リモートコントローラ３００のチャンネルＵＰキー３０４によりチャンネル切り替えの指示（ＣＨ１→ＣＨ２→ＣＨ３→ＣＨ４）があった場合は、再生時の時間管理にしたがって、録画番組２−２，３−２，４−２が順次再生される。また、録画番組４−２の再生中に、リモートコントローラ３００の特殊再生キー３０５の次番組スキップキーにより次番組スキップの指示があった場合は、録画番組４−３が再生される。また、録画番組４−２の再生中に、リモートコントローラ３００の特殊再生キー３０５の前番組スキップキーにより前番組スキップの指示があった場合は、録画番組４−１の番組先頭に戻ることになる。
【００４８】
このようにデジタルレコーダ１０１における番組表を利用した番組表示処理によれば、通常視聴と同様にチャンネルザッピング感覚での番組検索が可能であり、さらに番組スキップ機能も付加されるので、番組発見を行うための操作性の向上が図れる。
【００４９】
［未来の番組を選択した場合］
なお、現在時刻よりも後の番組がリモートコントローラ３００の決定キー３０３の操作によって選択された場合には、番組の詳細説明や別途ＰＶＲ（Personal  Video  Recorder）機能がある場合には、ＰＶＲへの予約録画処理を行うメニューを表示する。
【００５０】
このように本実施の形態によれば、記録再生制御部１１０は、記録媒体部１１１に記録された放送番組を再生中に入力処理部１１４を介してチャンネルの切り替えの指示を受け付けた場合、切り替え指示を受けたチャンネルについての放送番組の信号を、現在再生中のチャンネルの番組を記録した時間と同じ時間に対応する位置と、チャンネル切り替え後の番組の先頭位置と、番組先頭から所定時間経過した任意のオフセット位置とのいずれかを再生開始位置として、記録媒体部１１１から読み出すことにより、既に記録している番組についても通常視聴のチャンネル選択と同様にチャンネルザッピング感覚での番組検索を行うことができるので、録り溜めた一定期間分の全番組の中から所望の視聴したい番組を発見して選択するための操作性の向上を図ることができる。
【００５１】
すなわち、記録媒体部１１１に対して複数のチューナ１０２，１１２，１２２，１３２で受信した各チャンネルの放送番組の信号の記録を行う際に、当該記録媒体部１１１の物理的な領域における記録位置と時刻情報とを関連付けたメタデータをチャンネルごとに作成して記録媒体部１１１に記録しておく。そして、記録媒体部１１１に記録された放送番組の信号の再生中にチャンネルの切り替えの指示を受け付けた場合、再生中の放送番組の信号にかかるメタデータの時刻情報に基づき、切り替え指示を受け付けたチャンネルの再生開始位置となる記録位置をメタデータから求め、当該再生開始位置の放送番組の信号を記録媒体部１１１から読み出すことにより、既に記録している番組についても通常視聴のチャンネル選択と同様にチャンネルザッピング感覚での番組検索を行うことができるので、録り溜めた一定期間分の全番組の中から所望の視聴したい番組を発見して選択するための操作性の向上を図ることができる。
【００５２】
また、記録位置と時刻情報とに対して更に番組情報を関連付けたメタデータをチャンネルごとに作成して記録媒体部１１１に記録しておくことにより、記録媒体部１１１に記録された放送番組の信号の再生中に、同一チャンネル中の放送番組の切り替えの指示を受け付けた場合、再生中の放送番組の信号にかかるメタデータの番組情報に基づき、切り替え指示を受け付けた番組の再生開始位置となる記録位置をメタデータから求め、当該再生開始位置の放送番組の信号を記録媒体部から読み出すことにより、番組スキップ機能を付加することができるので、録り溜めた一定期間分の全番組の中から所望の視聴したい番組を発見して選択するための操作性の向上を更に図ることができる。
【００５３】
なお、本実施の形態は、番組録画制御装置としてデジタルレコーダ１０１を適用した例について説明したが、これに限るものではなく、番組録画制御装置としてデジタルＴＶを適用するようにしても良い。
【００５４】
また、本実施の形態のデジタルレコーダ１０１においては、第１のチューナ１０２、第２のチューナ１１２、第３のチューナ１２２、第４のチューナ１３２で受信された放送番組の信号をＴＳ再多重部１４１に入力し、複数のチャンネル（ＣＨ）のＴＳ（Ｔｒａｎｓｐｏｒｔ  Ｓｔｒｅａｍ）を１つのＴＳに再多重化した後、ＴＳ分離部１０３に送るようにしたが、これに限るものではなく、図１１に示すように、各チューナ１０２、１１２、１２２、１３２で受信した放送番組の信号をＴＳ分離部１０３に各々送るようにしても良い。
【００５５】
さらに、チューナ１０２，１１２，１２２，１３２、ＴＳ再多重部１４１、ＴＳ分離部１０３、ＣＡＳ制御部１０７、デスクランブラ部１０４、記録再生制御部１１０、ＡＶデコード部１０５、番組データベース部１１３、番組表処理部１１５、表示処理部１０６は、ハードウェアで実現するものであっても良いし、制御部であるＣＰＵ（図示せず）等を使って記憶部（図示せず）に記憶されたソフトウェアプログラムで実現するものであってもよい。
【符号の説明】
【００５６】
１０１・・・番組録画制御装置、１０２，１１２，１２２，１３２・・・受信部、１０３・・・分離部、１０６・・・表示処理部、１１０・・・記録制御部、再生制御部、１１１・・・記録媒体部、１１４・・・入力処理部、１４１・・・再多重部、２００・・・表示部
【図１】
2010119140.tif 000003
【図２】
2010119140.tif 000004
【図３】
2010119140.tif 000005
【図４】
2010119140.tif 000006
【図５】
2010119140.tif 000007
【図６】
2010119140.tif 000008
【図７】
2010119140.tif 000009
【図８】
2010119140.tif 000010
【図９】
2010119140.tif 000011
【図１０】
2010119140.tif 000012
【図１１】
2010119140.tif 000013